(57)【要約】【課題】複数のラベル作成装置１とＰＣ１００とを備えるラベル作成システムにおいて、ＰＣ１００によって作成したラベルデータに基づいてラベル作成をさせるラベル作成装置１を、ＰＣ１００において自動選択可能とするラベル作成システムを提供する。【解決手段】Ｓ３０において、Ｋ１に指定された媒体種別が設定される。その後、Ｓ３３において、装置媒体種別テーブルに記憶されている各ラベル作成装置１に装着されているロールシートホルダ３に巻回されているロールシートの種別と、Ｋ１の値とが比較される。両者の値が等しい場合は、その種別のロールシートが巻回されているロールシートホルダ３が装着されているラベル作成装置１が、ＰＣ１００から印刷リクエストが送信されるラベル作成装置１に設定される。【選択図】図１６
2007317157.tif 000002
【特許請求の範囲】
【請求項１】
端末装置とテープ状の被印刷媒体を収納したカートリッジを着脱可能な複数のラベル作成装置とを備えるラベル作成システムであって、
前記ラベル作成装置は、
前記端末装置から送られるラベルデータを受信する第１受信手段と、
前記カートリッジに設けられ前記被印刷媒体の種類を表す媒体種別を保持する媒体種別保持手段から前記媒体種別を読み出す媒体種別読み出し手段と、
前記媒体種別読み出し手段により読み出された前記媒体種別を送信するよう当該ラベル作成装置に要求する媒体種別取得要求を受信する第２受信手段と、
前記媒体種別を送信する第１送信手段と、
前記第１受信手段により受信した前記ラベルデータに基づいて前記被印刷媒体からラベルを作成するラベル作成手段とを備え、
前記端末装置は、
ラベルデータ作成編集プログラムを実行することによりラベルデータの作成機能を有し、
ラベルデータを作成するラベルデータ作成手段と、
前記ラベル作成装置に対し前記媒体種別取得要求を送信する第２送信手段と、
前記ラベル作成装置から送られる前記媒体種別を受信する第３受信手段と、
前記ラベル作成装置から送られ前記第３受信手段により受信した前記媒体種別に基づいて前記ラベルデータを送信する前記ラベル作成装置を決定する決定手段と、
前記決定手段により決定された前記ラベル作成装置に対して前記ラベルデータを送信する第３送信手段とを備えて前記ラベルデータに対応した前記被印刷媒体を収納したカートリッジを装着した前記ラベル作成装置に対してラベルデータを送信するラベル作成システムにおいて、
前記端末装置は、前記ラベルデータ作成編集プログラムの起動時に前記第２送信手段によって前記媒体種別取得要求を送信し、各ラベル作成装置は、前記第２受信手段により前記媒体種別取得要求を受信した場合に、前記媒体種別読み出し手段により前記媒体種別を読み出すと共に、前記第１送信手段により当該媒体種別を送信することを特徴とするラベル作成システム。
【請求項２】
前記端末装置は所定の時間間隔毎に各ラベル作成装置に対し前記第２送信手段によって前記媒体種別取得要求を送信することを特徴とする請求項１に記載のラベル作成システム。
【請求項３】
前記被印刷媒体は印字用基材と、印字用基材の一面に形成された粘着層と、粘着層に貼付された剥離紙とから構成され、
前記媒体種別は前記カートリッジに収納される前記被印刷媒体の幅、及び、前記被印刷媒体の印字用基材のみを切断するハーフカットにより前記被印刷媒体に予め所定の形状を施したダイカットテープの種類の何れかを有していることを特徴とする請求項１または２に記載のラベル作成システム。
【発明の詳細な説明】
【技術分野】
【０００１】
本発明は、ラベルの元となるラベルデータを作成する端末と、端末から送られたラベルデータに基づいてラベルを作成する複数のラベル作成装置とを備えるラベル作成システムに関し、特に端末において使用するラベル作成装置を自動選択可能とするラベル作成システムに関するものである。
【背景技術】
【０００２】
従来、一台以上のコンピュータ装置と複数の印刷装置とが接続されて成るシステムにおいて、コンピュータ装置において使用する印刷装置を自動選択するように構成したシステムに関する提案はいくつかなされている。
【０００３】
例えば、一台以上のコンピュータ装置と複数の印刷装置とが接続されて成るシステムにおける印刷装置選択方式であって、コンピュータ装置から出力される印刷データの種類を判別する手段と、印刷データの種類と使用する印刷装置との対応を設定する手段と、それを参照する手段と、各手段の判別及び参照の結果に基づいて、印刷データの種類に対応する印刷装置を選択する手段を有する印刷装置選択方式が提案されている（特許文献１参照）。
【０００４】
この発明に係る具体例としては、印刷データの種類として、カラーデータを含むか否か（モノクロ／カラー）による種類分け（以後、データ種１と称する）と、カット紙の用紙サイズ（Ａ３／Ａ４）による種類分け（以後、データ種２と称する）とが記載されている。
【特許文献１】特開平９−２８２１１８号公報
【発明の開示】
【発明が解決しようとする課題】
【０００５】
しかしながら、上述した印刷装置選択方式では、印刷データの種類に対応する印刷装置を選択することになっているが、その印刷データの種類としては、データ種１のように印刷装置の仕様に基づく種類と、データ種２のように印刷媒体に基づく種類であって、その中でもカット紙の用紙サイズに基づく種類の場合が開示されているのみである。そのため、印刷媒体がテープであって、テープはその種類の違いにより複数種類のカートリッジにより提供されており、そのテープの種類により複数の印刷装置の中から印刷装置が選択されるシステムについては従来知られていない。
【０００６】
そこで、本発明は、上述した問題点を解決するためになされたものであり、端末装置と複数の印刷装置とが接続されて成るシステムであって、印刷媒体はテープであり、テープはその種類の違いにより複数種類のカートリッジにより提供されており、そのテープの種類により複数の印刷装置の中から印刷装置が選択されるラベル作成システムの提供を目的とする。
【課題を解決するための手段】
【０００７】
前記目的を達成するため請求項１に係るラベル作成システムは、端末装置とテープ状の被印刷媒体を収納したカートリッジを着脱可能な複数のラベル作成装置とを備えるラベル作成システムであって、前記ラベル作成装置は、前記端末装置から送られるラベルデータを受信する第１受信手段と、前記カートリッジに設けられ前記被印刷媒体の種類を表す媒体種別を保持する媒体種別保持手段から前記媒体種別を読み出す媒体種別読み出し手段と、前記媒体種別読み出し手段により読み出された前記媒体種別を送信するよう当該ラベル作成装置に要求する媒体種別取得要求を受信する第２受信手段と、前記媒体種別を送信する第１送信手段と、前記第１受信手段により受信した前記ラベルデータに基づいて前記被印刷媒体からラベルを作成するラベル作成手段とを備え、前記端末装置は、ラベルデータ作成編集プログラムを実行することによりラベルデータの作成機能を有し、ラベルデータを作成するラベルデータ作成手段と、前記ラベル作成装置に対し前記媒体種別取得要求を送信する第２送信手段と、前記ラベル作成装置から送られる前記媒体種別を受信する第３受信手段と、前記ラベル作成装置から送られ前記第３受信手段により受信した前記媒体種別に基づいて前記ラベルデータを送信する前記ラベル作成装置を決定する決定手段と、前記決定手段により決定された前記ラベル作成装置に対して前記ラベルデータを送信する第３送信手段とを備えて前記ラベルデータに対応した前記被印刷媒体を収納したカートリッジを装着した前記ラベル作成装置に対してラベルデータを送信するラベル作成システムにおいて、前記端末装置は、前記ラベルデータ作成編集プログラムの起動時に前記第２送信手段によって前記媒体種別取得要求を送信し、各ラベル作成装置は、前記第２受信手段により前記媒体種別取得要求を受信した場合に、前記媒体種別読み出し手段により前記媒体種別を読み出すと共に、前記第１送信手段により当該媒体種別を送信することを特徴とする。
【０００８】
また、請求項２に係るラベル作成システムは、請求項１に記載のラベル作成システムにおいて、前記端末装置は所定の時間間隔毎に各ラベル作成装置に対し前記第２送信手段によって前記媒体種別取得要求を送信することを特徴とする。
【０００９】
また、請求項３に係るラベル作成システムは、請求項１または２に記載のラベル作成システムにおいて、前記被印刷媒体は印字用基材と、印字用基材の一面に形成された粘着層と、粘着層に貼付された剥離紙とから構成され、前記媒体種別は前記カートリッジに収納される前記被印刷媒体の幅、及び、前記被印刷媒体の印字用基材のみを切断するハーフカットにより前記被印刷媒体に予め所定の形状を施したダイカットテープの種類の何れかを有していることを特徴とする。
【発明の効果】
【００１０】
請求項１に係るラベル作成システムでは、前記ラベル作成装置は前記カートリッジに設けられ前記被印刷媒体の種類を表す媒体種別を保持する媒体種別保持手段から前記媒体種別を読み出す媒体種別読み出し手段を備え、前記端末は前記ラベル作成装置から送られ前記第３受信手段により受信した前記媒体種別に基づいて前記ラベルデータを送信する前記ラベル作成装置を決定する決定手段を備え、各ラベル作成装置において前記媒体種別読み出し手段は前記端末装置におけるラベル作成プログラムの起動時に前記媒体種別を読み出すように構成されている。
【００１１】
これにより、端末装置においてラベルデータの作成前にラベル作成装置から取得した媒体種別に基づいてラベルデータに対応したラベル作成装置を決定でき、そのラベル作成装置にラベルを作成させることができる。そのため、ユーザはラベル印刷の度にラベル作成装置を選択することが不要となり使い勝手が向上する。
【００１２】
また、請求項２に係るラベル作成システムでは、前記端末装置は所定の時間間隔毎に各ラベル作成装置に対し前記第２送信手段によって前記媒体種別取得要求を送信するように構成されている。
【００１３】
これにより、所定時間を短めに設定した場合、ラベルデータを送信するラベル作成装置を決定することは、ラベル作成装置においてカートリッジの交換がされても可能となる。そのため、ユーザはさらに使い勝手が向上する。
【００１４】
また、請求項３に係るラベル作成システムでは、前記媒体種別は前記カートリッジに収納される前記被印刷媒体の幅、及び、前記被印刷媒体の印字用基材のみを切断するハーフカットにより前記被印刷媒体に予め所定の形状を施したダイカットテープの種類の何れかを有するように構成されている。
【００１５】
これにより、前記カートリッジに収納される前記被印刷媒体の幅、及び、ダイカットテープの種類の違いによるラベル作成装置の選択を可能とする。そのため、ユーザはさらに使い勝手が向上する。
【発明を実施するための最良の形態】
【００１６】
以下、本発明に係るラベル作成システムについて、具体化した実施形態に基づいて図面を参照しつつ詳細に説明する。
【００１７】
図１は、本実施形態に係るラベル作成システムの概略構成図である。
【００１８】
図１に示すように、本実施形態に係るラベル作成システムは、複数台のラベル作成装置１と、端末装置としてのパーソナルコンピュータ（以下、ＰＣと称する）１００とがネットワーク１０１に接続されて構成されている。
【００１９】
次に、図２乃至図７を参照して、ラベル作成装置１の概略構成について説明する。図２は、ラベル作成装置１の概略斜視図である。図３は、ラベル作成装置１に最大ロールシート幅のロールシートホルダ３が装着された状態を、上カバー５を取り外して示す斜視図である。
【００２０】
図２及び図３に示すように、ラベル作成装置１は、本体筐体２と、所定幅のロールシートが巻回されたロールシートホルダ３を収納するロールシートホルダ収納部４の上側を覆うように後側上端縁部に開閉自在に取り付けられた透明樹脂製の上カバー５と、この上カバー５の前側略中央部に対向するように立設される透明樹脂製のトレー６と、このトレー６の前側に配置される電源ボタン７と、前側側面部に左右移動可能に設けられてカッターユニット８（図６参照）を左右に移動させるカットレバー９等から構成されている。また、本体筐体２の背面部には一方の側端部に電源コード１０が接続されると共に、他方の側端部にはネットワーク１０１等と接続される不図示のコネクタ部が設けられている。
【００２１】
また、図３では、ロールシートホルダ３に巻回されているロールシートは無定長ロールシート３Ａであり、この無定長ロールシート３Ａは、自己発色性を有する長尺状の感熱シート（いわゆる、サーマルペーパー）や、該感熱シートの片面に粘着剤を介して剥離紙が貼り合わされた長尺状の感熱シート等で構成され、裏面側が外側になるように巻芯に巻回されている。また、無定長ロールシート３Ａの裏面側には、後述のマーク検出センサとしてのフォトセンサ１１に対向する位置に、搬送方向に所定ピッチ寸法（例えば、１０ｍｍ、２０ｍｍ、３０ｍｍ等のピッチ寸法である。）で各エンコーダマーク５が形成されている。また、この各エンコーダマーク５の搬送方向の幅寸法は、該所定ピッチ寸法の半分の寸法に形成されている。
【００２２】
また、図４では、ロールシートホルダ３に巻回されているロールシートはダイカットラベルシート３Ｂであり、ダイカットラベルシート３Ｂは、長尺状の剥離紙の表面側に自己発色性を有する感熱シート（いわゆる、サーマルペーパー）で形成された各ダイカットラベル３Ｃが粘着剤を介して該剥離紙の長手方向に沿って配列するよう仮着され、剥離紙の裏面側が外側になるように巻芯に巻回されている。また、ダイカットラベルシート３Ｂの裏面側には、後述のマーク検出センサとしてのフォトセンサ１１に対向する位置に、各ダイカットラベル３Ｃの搬送方向側の端縁部に対向するように各エンコーダマーク５が形成されている。
【００２３】
また、図３乃至図６に示すように、ラベル作成装置１は、ロールシートホルダ収納部４の搬送方向に対して略垂直方向の一方の側端縁部（図５中、右側側端縁部）に、ロールシートホルダ３を構成する位置決め保持部材１２の外側方向に突設される断面略矩形状の取付部材１３を嵌め込むことができるホルダ支持部材１５が設けられている。このホルダ支持部材１５には、上方に開口する正面視略縦長コの字状の第１位置決め溝部１６が形成されている。また、このホルダ支持部材１５の内側基端部には、位置決め保持部材１２の下端部に突設される弾性係止片１２Ａ（図８参照）が係合される係合凹部１５Ａが形成されている。
【００２４】
また、無定長ロールシート３Ａ又はダイカットラベルシート３Ｂを挿入する挿入口１８の後端縁部からロールシートホルダ収納部４の前側上端縁部まで略水平に延出されて、後述のロールシートホルダ３を構成するガイド部材２０の先端部が載置される載置部２１が設けられている。また、この載置部２１の搬送方向後側の端縁角部には、無定長ロールシート３Ａ又はダイカットラベルシート３Ｂの複数の幅寸法に対応して断面略Ｌ字状の４個の第２位置決め溝部２２Ａ〜２２Ｄが形成されている。この各第２位置決め溝部２２Ａ〜２２Ｄは、図６に示すように、ロールシートホルダ３を構成するガイド部材２０の載置部２１に当接する部分の一部を上方から嵌め込むことができるように形成されている。また、このロールシートホルダ３を構成するガイド部材２０の先端部は、挿入口１８まで延出されている。
【００２５】
また、ロールシートホルダ収納部４の底面部には、ホルダ支持部材１５の内側基端部から第２位置決め溝部２２Ａに対向する位置まで搬送方向に対して略垂直に平面視横長四角形の位置決め凹部４Ａが所定深さ（本実施形態では、約１．５〜３ｍｍの深さである。）で形成されている。この位置決め凹部４Ａの搬送方向幅寸法は、ロールシートホルダ３を構成する位置決め保持部材１２及びガイド部材２０の各下端縁部の幅寸法にほぼ等しくなるように形成されている。また、位置決め凹部４Ａのホルダ支持部材１５の内側基端部には、位置決め保持部材１２の下端縁部から略直角内側方向に延出される後述のシート判別部６０（図８参照）に対向する部分が、位置決め凹部４Ａよりもさらに所定深さ（本実施形態では、約１．５〜３ｍｍの深さである。）だけ深くなるように形成された搬送方向に縦長の平面視長四角形の判別凹部４Ｂが形成されている。
【００２６】
また、この判別凹部４Ｂには、プッシュ式のマイクロスイッチ等から構成されて、無定長ロールシート３Ａ又はダイカットラベルシート３Ｂの種別、感熱シートの材質、ロールシート幅、エンコーダマークの搬送方向ピッチ寸法等を判別するための５個のシート判別センサＳＳ１、ＳＳ２、ＳＳ３、ＳＳ４、ＳＳ５がＬ字状に設けられている。この各シート判別センサＳＳ１〜ＳＳ５は、プランジャーとマイクロスイッチ等から構成される公知の機械式スイッチからなり、該各プランジャーの上端部は、該判別凹部４Ｂの底面部から位置決め凹部４Ａの底面部近傍まで突き出るように設けられている。そして、この各シート判別センサＳＳ１〜ＳＳ５に対してシート判別部６０の後述の各センサ孔６０Ａ〜６０Ｅ（図８参照）が有るか否かを検出して、そのオン・オフ信号によりロールシートホルダ３に装着された無定長ロールシート３Ａ又はダイカットラベルシート３Ｂの種別、感熱シートの材質、ロールシート幅、エンコーダマークの搬送方向ピッチ寸法等を検出するものである。
【００２７】
尚、本実施形態の場合は、各テープ判別センサＳＳ１〜ＳＳ５は、そのプランジャーが常には、判別凹部４Ｂの底面から位置決め凹部４Ａの底面部近傍まで突き出しており、マイクロスイッチがオフ状態になっている。そして、シート判別部６０の各センサ孔６０Ａ〜６０Ｅが、各シート判別センサＳＳ１〜ＳＳ５に対向する位置に有る場合には、プランジャーが押下されずマイクロスイッチがオフ状態にあるので、オフ信号が出力され、一方、シート判別部６０の各センサ孔６０Ａ〜６０Ｅが、各シート判別センサＳＳ１〜ＳＳ５に対向する位置に無い場合には、プランジャーが押下されてマイクロスイッチがオン状態になるので、オン信号が出力される。従って、各シート判別センサＳＳ１〜ＳＳ５によって５ビットの「０」、「１」信号が出力され、各シート判別センサＳＳ１〜ＳＳ５が全てオフ状態の場合、即ち、ロールシートホルダ３が装着されていない場合には、５ビットの「０００００」の信号が出力される。
【００２８】
また、挿入口１８のホルダー支持部材１５側の側端縁部（図５中、右端縁部）は、該ホルダー支持部材１５に嵌め込まれる位置決め部材１２の内側端面に対向する位置に形成されている。また、この挿入口１８のホルダー支持部材１５側の側端縁部には、案内リブ部が立設されている。
【００２９】
また、ロールシートホルダ収納部４の他方の側端縁部（図５中、左方の側端縁部）の搬送方向前端部には、サーマルヘッド３１（図６参照）の上下動操作等を行うレバー２７が設けられている。即ち、このレバー２７を上方に回動させることにより、サーマルヘッド３１が下方に移動されてプラテンローラ２６（図６参照）から離間し、該レバー２７を下方に回動させることにより、サーマルヘッド３１が上方に移動されて無定長ロールシート３Ａ又はダイカットラベルシート３Ｂをプラテンローラ２６に押圧付勢して印字可能な状態になる。また、ロールシートホルダ収納部４の下側には、外部のパーソナルコンピュータ等からの指令により各機構部を駆動制御する制御回路部６１（図９参照）が形成された制御基板３２（図６参照）が設けられている。
【００３０】
これにより、巻芯に巻回された無定長ロールシート３Ａ又はダイカットラベルシート３Ｂが装着されたロールシートホルダ３は、位置決め部材１２の取付部材１３をホルダ支持部材１５の第１位置決め溝部１６に嵌め込み、該位置決め部材１２の下端部に突設される弾性係止片１２Ａをホルダ支持部材１５の内側基端部に形成される係合凹部１５Ａに係合させると共に、ガイド部材２０の先端部下面を各第２位置決め溝部２２Ａ〜２２Ｄに嵌め込んで該ガイド部材２０の下端部を位置決め凹部４Ａ内に嵌入して当接させることによって、ロールシートホルダ収納部４に着脱自在に取り付けられる。また、位置決め部材１２の内側下端縁部に設けられたシート判別部６０が判別凹部４Ｂ内に挿入され、判別凹部４Ｂに配設される各シート判別センサＳＳ１〜ＳＳ５に対向する該シート判別部６０の各センサ孔６０Ａ〜６０Ｅが有るか否か検出可能となる。即ち、ロールシートホルダ３に装着された無定長ロールシート３Ａ又はダイカットラベルシート３Ｂの種別などを検出可能となる。
【００３１】
そして、レバー２７を上方に回動させて、無定長ロールシート３Ａ又はダイカットラベルシート３Ｂの一方の側端縁部をガイド部材２０の内側面に当接させつつ、この無定長ロールシート３Ａ又はダイカットラベルシート３Ｂの他方の側端縁部を挿入口１８の側縁部に立設される案内リブ部に当接させながら挿入口１８内に挿入して、該レバー２７を下方に回動させることにより、印刷可能となる。
【００３２】
ここで、レバー２７を下方に回動させることにより、図６及び図７に示すように、挿入口１８から挿入されたロールシートは、ライン型のサーマルヘッド３１によってプラテンローラ２６に向かって押圧されるように付勢される。そして、該プラテンローラ２６をステッピングモータ等で構成されるシート送りモータ７２（図９参照）により回転駆動しつつ、該サーマルヘッド３１を駆動制御することによって、無定長ロールシート３Ａ又はダイカットラベルシート３Ｂを搬送しながら感熱シートの印字面に順次画像データを印字できる。また、トレー６上に排出された無定長ロールシート３Ａ又はダイカットラベルシート３Ｂは、カットレバー９を右側方向に移動操作することによって、カッターユニット８により切断される。
【００３３】
また、図７に示すように、ガイド部材２０の先端部が載置される載置部２１の先端縁部には、該先端縁部から所定長さ下側方向に延出されると共に、更に、プラテンローラ側に所定長さ延出される側面視逆くの字状の延出部２４が形成されている。また、プラテンローラ２６の上流側には、この延出部２４の上面部に対して所定隙間を形成するようにガイド部材２７が設けられ、挿入口１８が形成されている。また、この延出部２４の上面部とガイド部材２７の下面部とによって、無定長ロールシート３Ａ又はダイカットラベルシート３Ｂをプラテンローラ２６の下端面に案内するシート案内路２５が形成されている。これにより、挿入口１８の進入した無定長ロールシート３Ａ又はダイカットラベルシート３Ｂは、シート案内路２５に沿ってプラテンローラ２６の下側に案内される。
【００３４】
また、ガイド部材２７の無定長ロールシート３Ａ又はダイカットラベルシート３Ｂの裏面側が摺動する下端面部には、ホルダ支持部材１５側の端縁部近傍位置に、マーク検出センサとしての反射型光センサであるフォトセンサ１１が配置されている。これにより、該無定長ロールシート３Ａ又はダイカットラベルシート３Ｂの裏面に形成される各エンコーダマーク５は、フォトセンサ１１により検出される。
【００３５】
尚、フォトセンサ１１は、無定長ロールシート３Ａ又はダイカットラベルシート３Ｂの最小幅寸法の裏面側に対向する位置に設けられていればよい。これにより、該無定長ロールシート３Ａ又はダイカットラベルシート３Ｂの各幅寸法の全種類に対応することができる。
【００３６】
次に、ロールシートホルダ３の概略構成について図８に基づいて説明する。尚、該ロールシートホルダ３には、無定長ロールシート３Ａ又はダイカットラベルシート３Ｂが周方向に回転可能に装着されるが、同一構成のため、無定長ロールシート３Ａが装着された状態について説明する。
【００３７】
図８に示すように、巻芯に巻回された無定長ロールシート３Ａが装着されるロールシートホルダ３は、無定長ロールシート３Ａの巻芯の筒孔の一端側端縁部にガイド部材２０の内側面に立設される第１筒部（不図示）が嵌挿されて、該ガイド部材２０の内側面に無定長ロールシート３Ａの一方の端面が当接されている。また、無定長ロールシート３Ａの巻芯の筒孔の他端側端縁部に位置決め保持部材１２の内側面に立設される第２筒部（不図示）が嵌挿されて、該位置決め保持部材１２の内側面に無定長ロールシート３Ａの他方の端面が当接されている。そして、このガイド部材２０の第１筒部に嵌挿されて一端側端面の外周部に形成されるフランジ部３６が該第１筒部の外側端面、即ちガイド部材２０の外側端面に固着されると共に、他端側端部が位置決め保持部材１２の第２筒部内に嵌挿されて該第２筒部に固着される略筒状のホルダ軸部材４０と、から構成されている。従って、ホルダ軸部材４０の長さ寸法を変更することにより、異なる幅寸法の無定長ロールシート３Ａ又はダイカットラベルシート３Ｂが装着された複数種類のロールシートホルダ３を容易に製作することができる。
【００３８】
また、このガイド部材２０は、第１筒部の外側端面の下側外周部から下側方向に延出されて、ロールシートホルダ収納部４の底面部に形成される位置決め凹部４Ａに嵌入されて該位置決め凹部４Ａの底面に当接される第１延出部４２が形成されている。また、ガイド部材２０は、無定長ロールシート３Ａの前側方向略１／４円周上の外側端面部を覆うように外側方向に延出される第２延出部４３が形成されている。また、この第２延出部４３の外周部から無定長ロールシート３Ａの挿入口１８（図６参照）近傍まで上側端縁部が前下がり状に延出される第３延出部４４が形成されている。この第３延出部４４の先端部の下端面は略水平に形成され、ラベル作成装置１の載置部２１上に当接して、該第３延出部４４と第２延出部４３の内側面によって装着された無定長ロールシート３Ａの一側端縁部を挿入口１８まで案内するように構成されている。
【００３９】
また、この第３延出部４４の下端面の載置部２１の搬送方向後端縁部に対向する位置から第１延出部４２まで所定長さ延出される第４延出部４５が形成され、該第３延出部４４の下端面が載置部２１上に当接された場合には、この第４延出部４５の搬送方向先端部分が、装着された無定長ロールシート３Ａのシート幅に対向する各第２位置決め溝部２２Ａ〜２２Ｄのいずれかに嵌入されるように構成されている（図６参照）。
【００４０】
また、ガイド部材２０の内側面に立設された第１筒部と位置決め保持部材１２の内側面に立設された第２筒部とによって、無定長ロールシート３Ａが巻回された巻芯が回転可能に保持される。尚、ホルダ軸部材４０は、無定長ロールシート３Ａ又はダイカットラベルシート３Ｂの巻芯の各長さ寸法に対応して複数種類の長さ寸法のものが設けられている。
【００４１】
また、位置決め部材１２の外側端面部の搬送方向（図８（Ｂ）中、左右方向）略中央部に、即ち、ホルダ軸部材４０の軸心の端縁部から該軸心に対してほぼ直交するように、上下方向に縦長の断面略矩形状の取付部材１３が突設されている。この取付部材１３は、正面視下方向に幅狭になるように形成され、ラベル作成装置１のホルダ支持部材１５の下方向に幅狭な第１位置決め溝部１６内に密着可能に形成されている。また、この取付部材１３の突出高さ寸法は、この第１位置決め溝部１６の幅寸法にほぼ等しく形成されている。
【００４２】
また、位置決め部材１２の取付部材１３の下端部には、該取付部材１３の下端部よりも左右方向に各々外側方向に所定長さ（本実施形態では、約１．５ｍｍ〜３ｍｍである。）突出する正面視略四角形の平板状（本実施形態では、約１．５ｍｍ〜３ｍｍの厚さ寸法である。）の案内部５７が形成されている。これにより、ロールシートホルダ３を装着する場合は、取付部材１３の下端部に形成される案内部５７をホルダ支持部材１５の外側端面に当接させつつ、取付部材１３を第１位置決め溝部１６に挿入することによって、該ロールシートホルダ３を容易に位置決めしつつ装着することができる。
【００４３】
また、位置決め部材１２の延出部５６の下端縁部は、ガイド部材２０の下端縁部よりも所定長さ（本実施形態では、約１ｍｍ〜２．５ｍｍである。）下側方向に突出するように延出されると共に、該下端縁部には、略直角内側方向に所定長さ延出される略長四角形のシート判別部６０が形成されている。
【００４４】
また、図８（Ｂ）に示すように、このシート判別部６０には、上述したように、各シート判別センサＳＳ１〜ＳＳ５に対向する所定位置に各センサ孔６０Ａ〜６０Ｅが略Ｌ字状に配置されて穿設されている。これにより、各センサ孔６０Ａ〜６０Ｅは、最大５個穿設されるため、１つひとつの有無を「１」と「０」に対応させることにより、該ロールシートホルダ３に装着された無定長ロールシート３Ａ及びダイカットラベルシート３Ｂの種別、感熱シートの材質、ロールシート幅、エンコーダマーク５の搬送方向ピッチ寸法等を５ビットの符号によって表示することができる。尚、このような各センサ孔６０Ａ〜６０Ｅの示す情報は、ロールシートホルダ３に巻回されているロールシートの種類に関する情報（媒体種別）が殆どである。そのため、各センサ孔６０Ａ〜６０Ｅをもってロールシートホルダ３に関する情報を示していると言えると共に、ロールシートホルダ３に巻回されているロールシートに関する情報を示しているとも言える。
【００４５】
また、位置決め部材１２の取付部材１３の下端部には延出部５６に縦長四角形の貫通孔６２が穿設され、該貫通孔６２の上端縁部には、下側方向に先端部に外側方向に突出する突起部が形成された弾性係止片１２Ａが設けられている。
【００４６】
次に、上記のように構成されたラベル作成装置１の回路構成について図９に基づき説明する。
【００４７】
図９に示すように、ラベル作成装置１の制御基板３２上に形成される制御回路部６１は、ＣＰＵ６２、ＣＧ（キャラクタジェネレータ）ＲＯＭ６３、ＲＯＭ６４、フラッシュメモリ（ＥＥＰＲＯＭ）６５、ＲＡＭ６６、入出力インターフェース（Ｉ／Ｆ）６７、及び通信用インターフェース（Ｉ／Ｆ）６８等を備えている。また、ＣＰＵ６２、ＣＧＲＯＭ６３、ＲＯＭ６４、フラッシュメモリ６５、ＲＡＭ６６、入出力インターフェース（Ｉ／Ｆ）６７、及び通信用インターフェース（Ｉ／Ｆ）６８は、バス線６９により相互に接続されて、相互にデータのやり取りが行われる。
【００４８】
ここに、ＣＧＲＯＭ６３には各キャラクタに対応するドットパターンデータが記憶されており、ドットパターンデータがＣＧＲＯＭ６３から読み出され、そのドットパターンデータに基づいて無定長ロールシート３Ａ又はダイカットラベルシート３Ｂの感熱シート上にドットパターンが印刷される。
【００４９】
また、ＲＯＭ６４は、各種のプログラムを記憶させておくものであり、後述の無定長ロールシート３Ａ又はダイカットラベルシート３Ｂの搬送処理プログラムなどのラベル作成装置１の制御上必要な各種のプログラムが記憶されている。また、各シート判別センサＳＳ１〜ＳＳ５から入力される５ビットの各符号に対する無定長ロールシート３Ａ及びダイカットラベルシート３Ｂの種別、感熱シートの材質、ロールシート幅、エンコーダマーク５の搬送方向ピッチ寸法等を記憶するロールシート種類記憶領域６４Ｂが設けられている。
【００５０】
例えば、ロールシート種類記憶領域６４Ｂには、各シート判別センサＳＳ１〜ＳＳ５から入力される５ビットの符号が「１１１００」に対して、種別：「無定長ロールシート３Ａ」、感熱シートの材質：「材質Ａ」、ロールシート幅：「１００ｍｍ」、エンコーダマーク５の搬送方向ピッチ寸法：「５ｍｍ」等が記憶されている。また、該５ビットの符号が「１１０００」に対して、種別：「無定長ロールシート３Ａ」、感熱シートの材質：「材質Ｂ」、ロールシート幅：「１００ｍｍ」、エンコーダマーク５の搬送方向ピッチ寸法：「５ｍｍ」等が記憶されている。また、該５ビットの符号が「１０１１０」に対して、種別：「ダイカットラベルシート３Ｂ」、感熱シートの材質：「材質Ａ」、ロールシート幅：「１００ｍｍ」、エンコーダマーク５の搬送方向ピッチ寸法：「５ｍｍ」、ダイカット種類：「丸形９０ｍｍ」、等が記憶されている。また、該５ビットの符号が「１０１００」に対して、種別：「ダイカットラベルシート３Ｂ」、感熱シートの材質：「材質Ｂ」、ロールシート幅：「１００ｍｍ」、エンコーダマーク５の搬送方向ピッチ寸法：「５ｍｍ」、ダイカット種類：「四角９０ｍｍｘ９０ｍｍ」、等が記憶されている。
【００５１】
尚、感熱シートの材質が「材質Ａ」の場合には、サーマルヘッド３１を介して印字可能な該感熱シートの最大搬送速度は、８０ｍｍ／ｓｅｃであり、感熱シートの材質が「材質Ａ」の無定長ロールシート３Ａの搬送速度として「８０ｍｍ／ｓｅｃ」が予めＲＯＭ６４に記憶されている。また、感熱シートの材質が「材質Ｂ」の場合には、サーマルヘッド３１を介して印字可能な該感熱シートの最大搬送速度は、２０ｍｍ／ｓｅｃであり、感熱シートの材質が「材質Ｂ」の無定長ロールシート３Ａの搬送速度として「２０ｍｍ／ｓｅｃ」が予めＲＯＭ６４に記憶されている。
【００５２】
そして、ＣＰＵ６２はかかるＲＯＭ６４に記憶されている各種のプログラムに基づいて各種の演算を行なうものである。また、ＲＯＭ６４には、多数の文字等のキャラクタのそれぞれについて、各キャラクタの輪郭線を規定する輪郭線データ（アウトラインデータ）が各書体（ゴシック系書体、明朝体系書体等）毎に分類されてコードデータに対応して記憶されている。このアウトラインデータに基づいてドットパターンデータが印字バッファ６６Ａ上に展開される。
【００５３】
また、フラッシュメモリ６５は、外部のコンピュータ装置などから受信した外字データ等のドットパターンデータや各種図柄データのドットパターンデータ等に登録番号を付して記憶させておくものであり、ラベル作成装置１の電源をオフしても記憶内容を保持している。
【００５４】
また、ＲＡＭ６６は、ＣＰＵ６２により演算された各種の演算結果を一時的に記憶させておくためのものであり、印字バッファ６４Ａ、ワーク領域６４Ｂ等の各種のメモリが設けられている。また、印字バッファ６４Ａには、複数の文字や記号等の印字用ドットパターンや各ドットの形成エネルギ量である印加パルス数等がドットパターンデータとして格納され、サーマルヘッド３１はかかる印字バッファ６４Ａに記憶されているドットパターンデータに従ってドット印字を行う。
【００５５】
また、入出力Ｉ／Ｆ６７には、シート判別センサＳＳ１〜ＳＳ５、フォトセンサ１１、サーマルヘッド３１を駆動する為の駆動回路７１、プラテンローラ２６を回転駆動するシート送りモータ７２を駆動するために駆動回路７３とがそれぞれ接続されている。
【００５６】
また、通信用Ｉ／Ｆ６８は、ネットワーク１０１と接続するためにネットワークケーブルによって接続され、双方向データ通信が可能になっている。
【００５７】
このように構成されたラベル作成装置１では、ＣＰＵ６２は、通信用Ｉ／Ｆ６８を介して各種のリクエストが受信されるか否かを常時監視している。尚、リクエストとは、通信手段によって送られてくるラベル作成装置１に対する指示を表すデータのことである。
【００５８】
ＣＰＵ６２は、通信用Ｉ／Ｆ６８を介してネットワーク１０１経由によってＰＣ１００からシート種別リクエストを受け取ると、シート判別センサＳＳ１〜ＳＳ５に値を読み取らせる。ＣＰＵ６２は、シート判別センサＳＳ１〜ＳＳ５の読み取った値により、ＲＯＭ６４のロールシート種類記憶領域６４Ｂに記憶されている情報を参照して、装着されているロールシートホルダ３に関する情報を取得する。ＣＰＵ６２は、このロールシートホルダ３に関する情報をシート種別リクエストを送ってきたＰＣ１００に対し通信用Ｉ／Ｆ６８を介してネットワーク１０１経由により送り返す。これをラベル作成装置１では、電源がＯＮになっている間は常時行っている。それは、後述するように、ＰＣ１００はラベル作成アプリケーション（後述）が起動している間は、所定の周期毎にラベル作成装置１に対してシート種別リクエストを送るため、ラベル作成装置１もその度にシート判別センサＳＳ１〜ＳＳ５の読み取り処理と、それによって分かった装着されているロールシートホルダ３に関する情報を送り返す処理とが発生するからである。そのため、ＰＣ１００においてラベル作成アプリケーション（後述）が起動している間であれば、ラベル作成装置１が電源ＯＮされて起動を開始する時点であっても、シート種別リクエストを受信したラベル作成装置１はシート判別センサＳＳ１〜ＳＳ５の読み取り処理を行うことになる。
【００５９】
ＣＰＵ６２は、通信用Ｉ／Ｆ６８を介してネットワーク１０１経由によってＰＣ１００から後述する印刷リクエストを受け取ると、シート判別センサＳＳ１〜ＳＳ５に値を読み取らせる。ＣＰＵ６２は、シート判別センサＳＳ１〜ＳＳ５の読み取った値により、ＲＯＭ６４のロールシート種類記憶領域６４Ｂに記憶されている情報を参照して、装着されているロールシートホルダ３に関する情報を取得する。ＣＰＵ６２は、装着されているロールシートホルダ３に巻回されているロールシートを使用して、印刷リクエストを構成するラベルデータに基づくラベルの作成が不可能と判断する時は、エラーを印刷リクエストを送ってきたＰＣ１００に対し通信用Ｉ／Ｆ６８を介してネットワーク１０１経由により送り返す。それにより、印刷リクエストに対する処理は終了する。
【００６０】
一方、ＣＰＵ６２が、ラベルの作成は可能と判断する時は、作成するラベルの印刷イメージを生成してＲＡＭ６６の印字バッファ６６Ａに展開する。その後、ＣＰＵ６２は、ＲＡＭ６６の印字バッファ６６Ａに展開された印刷イメージに従いサーマルヘッド３１とシート送りモータ７２とを同期させてロールシートに印刷を行う。尚、印刷終了後、ユーザがカットレバー９を操作してロールシートを切断する。
【００６１】
次に、ＰＣ１００の概略構成について説明する。図１０はＰＣ１００の概略を示す外略斜視図であり、図１１はＰＣ２の電気的構成を示すブロック図である。
【００６２】
ＰＣ２は周知のＰＣであり、図１０に示すように、ＣＰＵ１１１（図１１参照）を備えた本体１１２と、モニタ１１３と、キーボード１１４、マウス１１５とを備えており、モニタ１１３、キーボード１１４、マウス１１５はそれぞれ本体１１２に接続ケーブルによって接続されている。また、ＰＣ１００には、ネットワーク１０１等と接続される不図示のコネクタ部が設けられている。
【００６３】
次に、図１１を参照してＰＣ１００の電気的構成について説明する。図１１に示すように、ＰＣ１００には、ＰＣ１００の制御を司るＣＰＵ１１１が設けられている。このＣＰＵ１１１には、ＣＰＵ１１１が実行するＢＩＯＳ等のプログラムを記憶したＲＯＭ１５１と、ＣＰＵ１１１により演算された各種の演算結果を一時的に記憶するＲＡＭ１５２と、データの記憶媒体であるＣＤ−ＲＯＭ１５３を挿入し、データの読み込みを行うＣＤ−ＲＯＭドライブ１５４と、データの記憶装置であるＨＤＤ１５５とがバス１５６を介して接続されている。
【００６４】
ＲＡＭ１５２には、後述する装置媒体種別テーブル記憶領域１５２Ａと、ワーク領域１５２Ｂ等の各種のメモリが設けられている。
【００６５】
ＨＤＤ１５５には、ＰＣ１００において実行され、ラベルの元となるラベルデータを作成するラベル作成機能を提供するラベル作成プログラムを記憶するラベル作成プログラム記憶エリア１５８、プログラムの実行に必要な設定や初期値、データ等の情報を記憶したプログラム関係情報記憶エリア１５９等が設けられている。プログラム関係情報記憶エリア１５９には、ロールシートの種類、後述するテンプレートの種類、バーコードの規格に関する各情報が含まれる。
【００６６】
さらに、ＣＰＵ１１１には、バス１５６を介して、ラベル作成装置１を含めた外部機器との通信をネットワーク１０１を介して行うための通信用Ｉ／Ｆ１６０と、ユーザに操作画面を表示するモニタ１１３への画面表示を行う表示制御部１６１と、利用者が操作の入力を行うキーボード１１４やマウス１１５に接続され、それらの入力の検知を行う入力検知部１６２とが、接続されている。尚、ＰＣ１００には、図示外のフレキシブルディスクドライブ、音声等の入出力部、各種のインタフェース等が設けられていてもよい。
【００６７】
尚、ＣＤ−ＲＯＭ１５３には、ラベル作成プログラムや、このプログラムの実行時に使用される設定やデータ等が記憶されており、導入時には、ＣＤ−ＲＯＭ１５３からＨＤＤ１５５に設けられたラベル作成プログラム記憶エリア１５８やプログラム関係情報記憶エリア１５９に記憶されるようになっている。尚、ＰＣ１００のラベル作成プログラム及びその使用データ等の取得方法はＣＤ−ＲＯＭ１５３によるものに限らず、フレキシブルディスクやＭＯといった他の記憶媒体であってもよく、また、ネットワーク１０１上の他の端末等から取得してもよい。
【００６８】
さらに、ＣＰＵ１１１には、バス１５６を介して、タイマ１６３が接続されている。ＰＣ１００は、前述したように通信用Ｉ／Ｆ６８を介してネットワーク１０１経由によってラベル作成装置１に対してシート種別リクエストを送っている。そして、そのシート種別リクエストは、所定の周期毎に送られるのであるが、このタイマ１６３は、所定の周期をカウントすることに使用される。ＣＰＵ１１１は、タイマ１６３がカウントして所定の時間が経過する度に、後述する媒体種別取得タイマ処理（図１７参照）が他の処理に優先して実行されるように構成されている（所謂、割り込み処理）。但し、媒体種別取得タイマ処理は、後述するラベル作成処理（図１５参照）におけるラベル作成装置１と送受信をする処理（例えば、Ｓ１４）の間、及び、ラベル作成装置切り替え処理（図１６参照）の間は、優先して実行されないように設定されている。尚、本実施形態においては、所定の時間は１分程度に設定されているが、所定の時間は１分よりももっと短くともよい。また、逆に所定の時間は１分よりも長くともよい。
【００６９】
次に、図１２を参照して、ＲＡＭ１５２の装置媒体種別テーブル記憶領域１５２Ａに記憶される装置媒体種別テーブルについて説明する。図１２は、装置媒体種別テーブルの一例を示す模式図である。
【００７０】
図１２に示すように、装置媒体種別テーブル記憶領域１５２Ａには、ネットワーク１０１に接続されている全てのラベル作成装置１に対し、１台に１つずつ記憶領域が割り当てられている。装置媒体種別テーブル記憶領域１５２Ａを構成する各記憶領域は、装置媒体種別テーブル記憶領域１５２Ａの先頭から１台目のラベル作成装置１に関する記憶領域、２台目のラベル作成装置１に関する記憶領域、３台目のラベル作成装置１に関する記憶領域、以下、４台目、５台目、・・・と続くように構成されている。各記憶領域には、ラベル作成装置１に装着されているロールシートホルダ３の種別が格納されている。尚、このロールシートホルダ３の種別というのは、ロールシートホルダ３に巻回されているロールシートの種類に応じて割り付けられているので、実質的に同じことを表しており、装置媒体種別テーブル記憶領域１５２Ａを構成する各記憶領域に格納される値に関しては、今後はどちらも同じことを表していることとする。
【００７１】
図１２に示す例は、１台目のラベル作成装置１には、６ｍｍの無定長ロールシート３Ａが巻回されたロールシートホルダ３が装着されており、２台目のラベル作成装置１には、９ｍｍの無定長ロールシート３Ａが巻回されたロールシートホルダ３が装着されており、３台目のラベル作成装置１は電源が入っておらず、２台目のラベル作成装置１には、１８ｍｍの無定長ロールシート３Ａが巻回されたロールシートホルダ３が装着されており、５台目のラベル作成装置１には、２９ｍｍｘ９０ｍｍのダイカットラベル３Ｃがハーフカットにより形成されたダイカットラベルシート３Ｂが巻回されたロールシートホルダ３が装着されていることを表している。
【００７２】
次に、図１３を参照して、ＰＣ１００においてラベル作成プログラムを実行することによって起動されるラベル作成アプリケーションについて説明する。図１３は、ラベル作成アプリケーションの編集画面のイメージ図である。
【００７３】
ラベル作成アプリケーション２００は、ＰＣ１００のモニタ１１３に表示され、キーボード１１４やマウス１１５の操作により入力や指示が行われる。
【００７４】
図１３に示すように、ラベル作成アプリケーション２００の編集画面２１０の上部には、操作指示を行うためのメニューバー２１５が設けられている。メニューバー２１５には、ファイルメニュー、編集メニュー、表示メニュー、挿入メニュー、書式メニュー、ツールメニュー、レイアウトメニュー、ウィンドウメニュー、ヘルプメニューが配されている。また、編集画面２１０のメニューバー２１５の下部には、ラベル作成装置１において印刷される文字等を編集するための作業領域２２０が設けられており、印刷対象であるオブジェクトとしてテキストボックス２２２、２２４が配置されたラベルイメージ２３０が示されている。ラベルイメージ２３０には、作成されるラベルの縁を示すラベル枠２４０が表示されており、その中にテキストボックス２２２、２２４が配置されている。尚、テキストボックス２２２には、「佐藤英雄」が入力されており、テキストボックス２２４には、「新潟県」が入力されている。
【００７５】
メニューバー２１５に配されている各種のメニューには、さらに下位のメニューが配されており、例えば、ファイルメニューには、ラベルイメージ２３０を新規に作成する新規作成メニュー、ラベルイメージ２３０に対応したラベルデータを格納するファイルであるラベルファイルに保存する保存メニュー、ユーザに既存のラベルファイルからラベルファイルを選択させ編集対象としてラベルイメージ２３０を表示するファイルオープンメニュー、ラベルイメージ２３０に対応するラベルデータをラベル作成装置１に送信してラベル印刷を行わせる印刷メニュー、作成するラベルとなるロールシートをユーザに選択させる媒体種別選択メニュー、ラベル作成アプリケーション２００の終了メニュー、等が存在する。また、レイアウトメニューには、ラベルイメージ２３０を作成するに当たり、レイアウトの雛形となるテンプレートをユーザに選択させるテンプレートメニュー、等が存在する。また、挿入メニューには、ラベルイメージ２３０にオブジェクトとしてバーコードを配置するために、バーコードの規格を選択させたり、バーコードの意味するバーコードデータを入力させたりするバーコードメニュー、等が存在する。また、編集メニューには、カーソルで指定した位置に文字を入力する文字入力モードに切り替える文字入力メニュー、カーソルによりオブジェクトを選択するオブジェクト指定メニュー、等が存在する。また、書式メニューには、テキストボックス内のテキストの修飾を行う各種のメニュー、等が存在する。
【００７６】
ラベルイメージ２３０にテキストボックスを追加するに際し、通常の編集方法にあっては、文字入力メニューにより文字入力モードに切り替え、作業領域２２０上にマウスカーソルを移動し、クリックすると文字入力用の縦カーソルが表示される。それに引き続いて文字を入力すると入力された文字が縦カーソルの位置に追加されていき、その文字を含むようにテキストボックスも自動的に作成される。既存のテキストボックスの上にマウスカーソルを移動し、クリックすると入力済みのテキスト中に文字入力用の縦カーソルが表示される。それに引き続いて文字の入力や削除をすると、入力済みのテキストがそれに合わせて更新される。
【００７７】
次に、図１４を参照して、前述のテンプレート選択メニューを指定することによって表示されるテンプレート選択ダイアローグについて説明する。図１４は、テンプレート選択ダイアローグのイメージ図である。
【００７８】
レイアウトのテンプレートには、作成されるラベルの外形サイズと、そのラベル内に配置される各種のオブジェクトの種類、配置位置、大きさ等が規定されている。
【００７９】
図１４に示すように、テンプレート選択ダイアローグ３００の上部には、テンプレートが各カテゴリーに分類分けして表示されるに当たり、カテゴリーを選択するためのカテゴリー選択欄３１０が表示されている。カテゴリー選択欄３１０の右端には、下向きの三角の印が表示されており、カテゴリー選択欄３１０は、これをクリックすることにより、カテゴリーの一覧が表示されその中から所望のカテゴリーを選択させるように構成されている。図１４の例では、カテゴリー選択欄３１０において、「Ｓａｍｐｌｅ」というカテゴリーが選択されている。
【００８０】
カテゴリー選択欄３１０の下には、スタイル選択欄３２０があり、各テンプレートによるラベルの縮小イメージがテンプレートの名称と共に配置されている。図１４のスタイル選択欄３２０には、例として「Ｓａｍｐｌｅ１」という名称のテンプレート３２１、「Ｓａｍｐｌｅ２」という名称のテンプレート３２２、「Ｓａｍｐｌｅ３」という名称のテンプレート３２３、「Ｓａｍｐｌｅ４」という名称のテンプレート３２４、が表示されている。そして、テンプレート３２１にそれを囲む四角い枠が存在し、それによって現在はテンプレート３２１が選択状態にあることを示している。この枠は、キーボード１１４から不図示の上キー、下キー、左キー、右キーを押下したり、マウス１１５によってクリックしたりすることにより他のテンプレートに移動できる。選択スタイル選択欄３２０は、スタイル選択欄３２０の右端のスクロールバーを上下に操作することにより、他のテンプレートを表示するように構成されている。
【００８１】
テンプレート３２１には、横長のラベルの外形形状を示す四角の中に、横書きによる「Ｔｉｔｌｅ」との表示のあるテキストボックスと横書きによる「Ｂｏｄｙ」との表示のあるテキストボックスとが上下に配置されている状態が示されている。尚、各テキストボックスは、破線による四角によって表現されている（以下同様）。テンプレート３２２には、横長のラベルの外形形状を示す四角の中に、同じく横長のラベルをイメージした図柄であって右端にはクリップが留めてあり、左下隅にはラベルが捲り上がっている図柄の枠オブジェクトと、その枠オブジェクトの中に収まるように横書きによる「Ｔｉｔｌｅ」との表示のあるテキストボックスとが配置されている状態が示されている。
【００８２】
テンプレート３２３には、縦長のラベルの外形形状を示す四角の中に、同じく縦長の四角い枠オブジェクトと、その枠オブジェクトの中に収まるように縦書きによる「Ｔｉｔｌｅ」との表示のあるテキストボックスとが配置されている状態が示されている。テンプレート３２４には、縦長のラベルの外形形状を示す四角の中において、その上部に丸と三角と四角とを組み合わせた図柄とそれを囲う横長の破線の四角によって示されるイラスト配置枠が配置されている状態が示されている。そして、同じく縦長のラベルの外形形状を示す四角の中において、イラスト配置枠の下に、縦書きによる「Ｔｉｔｌｅ」との表示のあるテキストボックスと縦書きによる「Ｂｏｄｙ」との表示のあるテキストボックスとが左右に配置されている状態が示されている。
【００８３】
スタイル選択欄３２０により、所望のテンプレートを選択後、テンプレート選択ダイアローグ３００の下部にあるＯＫボタンをクリックすることにより、テンプレートの選択が確定する。そして、テンプレート選択ダイアローグ３００は閉じ、編集画面２１０の作業領域２２０には、テンプレート選択ダイアローグ３００によって選択されたレイアウトのテンプレートによるラベルイメージ２３０が表示される。
【００８４】
レイアウトのテンプレートによるラベルイメージ２３０がテキストボックスを備えている時は、テンプレート選択ダイアローグ３００において、選択したテンプレートのテキストボックスに表示されていた「Ｔｉｔｌｅ」や「Ｂｏｄｙ」といった文字はそのまま表示され、その枠がテキストボックスであることを示している。この表示は単にダミーの表示であり、実際に文字の入力がなされると消える。また、このテキストボックスへの文字の入力が無いまま、ラベル作成がなされた場合は、その部分は何も印刷されない。
【００８５】
また、レイアウトのテンプレートによるラベルイメージ２３０がイラスト配置枠を備えている時は、テンプレート選択ダイアローグ３００において、選択したテンプレートのイラスト配置枠に表示されていた丸と三角と四角とを組み合わせた図柄はそのまま表示され、その枠がイラスト配置枠であることを示している。この図柄の表示は単にダミーの表示であり、実際にイラストの入力がなされると消える。また、このイラスト配置枠へのイラストの入力が無いまま、ラベル作成がなされた場合は、その部分は何も印刷されない。
【００８６】
次に、本ラベル作成アプリケーションによって作成されるラベルファイルについて説明する。
【００８７】
編集中のラベルイメージ２３０に対応するラベルデータは、ラベル作成アプリケーション２００の備える保存メニューによって、ラベルファイルの中に保存される。ラベルファイルは、ＯＳの備えるファイルシステムにおけるファイルであるので、一般的なファイルがＨＤＤ１５５に保存される場合と何ら変わらず、ラベルファイルが作成される度にその都度ＨＤＤ１５５の未使用のエリアにラベルファイルを保存するエリアが確保され、ラベルファイルはそこに記憶される。
【００８８】
次にＰＣ１００において実行されるラベル作成処理について、図１５乃至図１７を参照して説明する。図１５は、ラベル作成処理のフローチャートである。図１６は、ラベル作成装置切り替え処理のフローチャートである。図１７は、媒体種別取得タイマ処理のフローチャートである。これらの処理は、ＰＣ１００のＣＰＵ１１１によって実行される。
【００８９】
先ず、ラベル作成プログラム記憶エリア１５７に記憶されているラベル作成プログラムが、ＣＰＵ１１１によって実行されると、図１５に示すように、Ｓ１において、ＲＡＭ１５２のワーク領域１５２Ｂにある不図示の記憶領域Ｎに「ラベル作成装置数」が設定される。この「ラベル作成装置数」は、元々はＨＤＤ１５５の不図示の領域に記憶されており、ラベル作成処理のために、一時ＲＡＭ１５２上にコピーされただけである。「ラベル作成装置数」は、ＰＣ１００においてネットワーク１０１に接続されているラベル作成装置１を使用するためにラベル作成装置用ドライバソフトウェアをインストールしてＰＣ１００に登録する度にカウントアップされる値であり、ＰＣ１００において使用可能なラベル作成装置１の台数を表している。尚、ラベル作成装置１が、ＰＣ１００から使用可能なラベル作成装置１として登録されるに当たっては、ＨＤＤ１５５の不図示の領域にそのラベル作成装置１を他のラベル作成装置と識別可能な「ＩＤ」が、登録順を示す「シリアル番号」と共に記憶されている。
【００９０】
また、ＲＡＭ１５２の装置媒体種別テーブル記憶領域１５２Ａに記憶されている装置媒体種別テーブルの各ラベル作成装置に対応する記憶領域が電源ＯＦＦに全て設定される。
【００９１】
また、ＲＡＭ１５２のワーク領域１５２Ｂにある不図示の各種記憶領域が初期化され、モニタ１１３に表示制御部１６１を介して編集画面２１０が表示される等各種の初期化処理が行われる。それにより、ラベル作成アプリケーション２００が起動する。その後、Ｓ２に移行する。Ｓ２では、ネットワーク１０１に接続されており、ＰＣ１００に登録済みの全ラベル作成装置１において、ラベル作成装置１に装着されているロールシートホルダ３の種別を所定の周期で取得するに当たり、所定の周期をカウントするタイマ１６３のカウント動作を開始する。その際に、前述したように、ＣＰＵ１１１は、タイマ１６３がカウントして所定の時間が経過する度に、後述する媒体種別取得タイマ処理（図１７参照）が他の処理に優先して実行されるように構成されている。尚、１回目の取得のタイミング、即ち、１回目の媒体種別取得タイマ処理（図１７参照）は所定の周期を開けず直ぐに実行される。その後、Ｓ３に移行する。Ｓ２では、キーボード１１４やマウス１１５による文字や指示等の入力が待たれる。入力があるとＳ４に移行する。
【００９２】
Ｓ４では、入力が媒体種別選択の指示であるか否かが判断される。入力が媒体種別選択の指示であると判断された場合（Ｓ４：ＹＥＳ）は、Ｓ５に移行し、媒体種別選択の指示でないと判断された場合（Ｓ４：ＮＯ）は、Ｓ９に移行する。
【００９３】
Ｓ５では、モニタ１１３に表示制御部１６１を介して不図示の媒体種別選択ダイアローグが表示される。媒体種別選択ダイアローグには、ロールシートの種類を示す名称が一覧表示されており、ユーザにその中からロールシートの種類を選択させる。選択可能なロールシートには、各幅寸法を有する無定長ロールシート３Ａ、及び、象られたダイカットラベル３Ｃの形状やサイズの違う各ダイカットラベルシート３Ｂがある。ユーザがロールシートの種類を選択した後にＳ６に移行する。
【００９４】
Ｓ６では、不図示の媒体種別選択ダイアローグにより媒体種別が選択される以前の状態において、ラベル作成アプリケーション２００の編集画面２１０の作業領域２２０に、ラベル枠２４０が表示されていなかった場合は、ラベルの元となるラベルデータを作成・編集するにあたって被印刷媒体が初めて選択されたことになる。その時は、ラベルデータに新規にその媒体種別の値が追加される。
【００９５】
一方、不図示の媒体種別選択ダイアローグにより媒体種別が選択される以前の状態において、ラベル作成アプリケーション２００の編集画面２１０の作業領域２２０に、ラベル枠２４０が表示されていた場合は、ラベルの元となるラベルデータを作成・編集するにあたって既に入力済みの被印刷媒体が変更されたことになる。その時は、ラベルデータの媒体種別の値が今回の値に更新される。また、無定長ロールシート３Ａあるいはダイカットラベル３Ｃに対して、テキストボックスや枠オブジェクトといったオブジェクトが入力され既に配置されていた場合、ラベルデータに格納されている各オブジェクトの配置位置やサイズの値が所定の規則に従って更新される。それにより、ラベルデータに従ってラベルが作成された時には、ラベル上に各オブジェクトがバランスよく配置されるように調整されていることになる。
【００９６】
例えば、枠オブジェクトでは、無定長ロールシート３Ａの幅が変わるとデザインの傾向は変わらず、無定長ロールシート３Ａの外周に沿った枠に変更される。また、テキストボックスやイラストオブジェクトにおいては、無定長ロールシート３Ａの幅の拡大率に応じてそれらも同じ拡大率で拡大・縮小し、各オブジェクト及び無定長ロールシート３Ａ間の間隔も同じ同じ拡大率で拡大・縮小するように変更される。尚、この自動調整機能は、設定により無効にすることも可能である。その後、Ｓ７に移行する。
【００９７】
Ｓ７では、Ｓ６で更新されたラベルデータに従い、ラベル作成アプリケーション２００の編集画面２１０の作業領域２２０に表示されていたラベルイメージが更新して表示される。その後、Ｓ８に移行する。
【００９８】
Ｓ８では、ラベル作成装置切り替え処理が実行される。その後、Ｓ３に移行し、再びＳ３以降の処理を繰り返す。
【００９９】
ここで、一旦、図１５によるラベル作成処理の説明を中断し、図１６を参照してラベル作成装置切り替え処理の説明を行う。
【０１００】
図１６のＳ３０において、ＲＡＭ１５２のワーク領域１５２Ｂにある不図示の記憶領域Ｋ１に対し図１５のＳ５にユーザにより選択された媒体種別の値が設定される。また、ＲＡＭ１５２のワーク領域１５２Ｂにある不図示の記憶領域Ｊに１が設定される。その後、Ｓ３１に移行する。
【０１０１】
Ｓ３１では、ＲＡＭ１５２のワーク領域１５２Ｂにある不図示の記憶領域Ｊに記憶されている値が、ＲＡＭ１５２のワーク領域１５２Ｂにある不図示の記憶領域Ｎに記憶されているラベル作成装置数より大きいか否かが判断される。記憶領域Ｊに記憶されている値が、記憶領域Ｎに記憶されているラベル作成装置数より大きいと判断された場合（Ｓ３１：ＹＥＳ）は、ＲＡＭ１５２の装置媒体種別テーブル記憶領域１５２Ａには、ワーク領域１５２Ｂの不図示の記憶領域Ｋ１に格納されている媒体種別に該当する媒体種別が見付からなかったことを表している。その場合、モニタ１１３には、不図示のエラー画面を表示させ、その中に「印刷可能なラベル作成装置は見付かりませんでした」というメッセージを表示させる。また、不図示の印刷メニューがグレイアウトされ、ユーザが選択できないようになる。尚、印刷可能なラベル作成装置が見付かった場合は、不図示の印刷メニューのグレイアウトは解除され、ユーザが選択できるようになる。また、このエラー画面は、所定の時間が経過すると自動的に閉じるように構成されている。
【０１０２】
その後、ラベル作成装置切り替え処理を終了し、図１５のＳ３に再び移行する。記憶領域Ｊに記憶されている値が、記憶領域Ｎに記憶されているラベル作成装置数より大きくないと判断された場合（Ｓ３１：ＮＯ）は、Ｓ３２に移行する。
【０１０３】
Ｓ３２では、先ず、ＲＡＭ１５２のワーク領域１５２Ｂにある不図示の記憶領域Ｊに格納されている値を指標として、ＲＡＭ１５２の装置媒体種別テーブル記憶領域１５２Ａを構成する記憶領域の１つが指定される。次に、その記憶領域に格納されている値がＲＡＭ１５２のワーク領域１５２Ｂにある不図示の記憶領域Ｋに格納される。その後、Ｓ３３に移行する。
【０１０４】
Ｓ３３では、ＲＡＭ１５２のワーク領域１５２Ｂにある不図示の記憶領域Ｋに記憶されている媒体種別が、ＲＡＭ１５２のワーク領域１５２Ｂにある不図示の記憶領域Ｋ１に記憶されている媒体種別に等しいか否かが判断される。記憶領域Ｋに記憶されている媒体種別が、記憶領域Ｋ１に記憶されている媒体種別に等しいと判断された場合（Ｓ３３：ＹＥＳ）は、Ｓ３３Ａに移行する。Ｓ３３Ａでは、ＲＡＭ１５２のワーク領域１５２Ｂにある不図示の記憶領域Ｊに格納されている値に対応するラベル作成装置１が、ＰＣ１００から印刷リクエストを送信するラベル作成装置１に設定される。そして、ラベル作成装置切り替え処理を終了し、図１５のＳ３に再び移行する。記憶領域Ｋに記憶されている媒体種別が、記憶領域Ｋ１に記憶されている媒体種別に等しくないと判断された場合（Ｓ３３：ＮＯ）は、Ｓ３４に移行する。
【０１０５】
Ｓ３４では、ＲＡＭ１５２のワーク領域１５２Ｂにある不図示の記憶領域Ｊに格納されている値に１を加える。その後、Ｓ３１に移行し、前述の処理が繰り返される。
【０１０６】
ここで説明した、ラベル作成装置切り替え処理を、図１２を例にして説明すると以下のようになる。
【０１０７】
Ｓ３０において、不図示の記憶領域Ｋ１には、図１５のＳ５によって選択された媒体種別、もしくは、後述するＳ１０でテンプレートが選択されることに伴って選択される媒体種別が格納される。今は仮に選択された媒体種別が「１８ｍｍテープ」であったとした場合、記憶領域Ｋ１には「１８ｍｍテープ」が格納される。また、不図示の記憶領域Ｊに１が格納される。Ｓ３１に移行する。
【０１０８】
Ｓ３１では、図１５のＳ１において不図示の記憶領域Ｎにラベル作成装置数が格納されて以来、そのまま記憶領域Ｎにはラベル作成装置数が格納されている。仮に５台がネットワーク１０１に接続されており、全てＰＣ１００からはアクセスが可能とする。その時、不図示の記憶領域Ｎには５が格納されていることになる。その時に、Ｓ３１では、不図示の記憶領域Ｊの値１と、不図示の記憶領域Ｎの値５とが比較される。１＞５ではないので、Ｓ３１はＮＯと判断され、Ｓ３２に移行する。
【０１０９】
現在、不図示の記憶領域Ｊには１が格納されている。Ｓ３２では、先ず、装置媒体種別テーブル記憶領域１５２Ａを構成する記憶領域のうち、記憶領域Ｊの値である１番目の記憶領域の値が読み出される。その値は、表現を変えれば、装置媒体種別テーブルの１番目の媒体種別ということになり、「６ｍｍテープ」となっている。不図示の記憶領域Ｋには、この「６ｍｍテープ」が値として設定される。その後、Ｓ３３に移行する。
【０１１０】
Ｓ３３では、不図示の記憶領域Ｋ１に格納された媒体種別「１８ｍｍテープ」と、装置媒体種別テーブルの１番目の媒体種別「６ｍｍテープ」とを比較する。それらは等しくないので、Ｓ３３はＮＯと判断され、Ｓ３４に移行する。
【０１１１】
Ｓ３４では、不図示の記憶領域Ｊの値１に１が加算され、２となる。その後、Ｓ３１に移行する。
【０１１２】
Ｓ３１では、不図示の記憶領域Ｊの値２と、不図示の記憶領域Ｎの値５とが比較される。２＞５ではないので、Ｓ３１はＮＯと判断され、Ｓ３２に移行する。
【０１１３】
Ｓ３２では、先ず、装置媒体種別テーブル記憶領域１５２Ａを構成する記憶領域のうち、記憶領域Ｊの値である２番目の記憶領域の値が読み出される。その値は、表現を変えれば、装置媒体種別テーブルの２番目の媒体種別ということになり、「９ｍｍテープ」となっている。不図示の記憶領域Ｋには、この「９ｍｍテープ」が値として設定される。その後、Ｓ３３に移行する。
【０１１４】
Ｓ３３では、不図示の記憶領域Ｋ１に格納された媒体種別「１８ｍｍテープ」と、装置媒体種別テーブルの２番目の媒体種別「９ｍｍテープ」とを比較する。それらは等しくないので、Ｓ３３はＮＯと判断され、Ｓ３４に移行する。
【０１１５】
Ｓ３４では、不図示の記憶領域Ｊの値２に１が加算され、３となる。その後、Ｓ３１に移行する。
【０１１６】
Ｓ３１では、不図示の記憶領域Ｊの値３と、不図示の記憶領域Ｎの値５とが比較される。３＞５ではないので、Ｓ３１はＮＯと判断され、Ｓ３２に移行する。
【０１１７】
Ｓ３２では、先ず、装置媒体種別テーブル記憶領域１５２Ａを構成する記憶領域のうち、記憶領域Ｊの値である３番目の記憶領域の値が読み出される。その値は、表現を変えれば、装置媒体種別テーブルの３番目の媒体種別ということになり、「電源ＯＦＦ」となっている。不図示の記憶領域Ｋには、この「電源ＯＦＦ」が値として設定される。その後、Ｓ３３に移行する。
【０１１８】
Ｓ３３では、不図示の記憶領域Ｋ１に格納された媒体種別「１８ｍｍテープ」と、装置媒体種別テーブルの３番目の媒体種別「電源ＯＦＦ」とを比較する。それらは等しくないので、Ｓ３３はＮＯと判断され、Ｓ３４に移行する。
【０１１９】
Ｓ３４では、不図示の記憶領域Ｊの値３に１が加算され、４となる。その後、Ｓ３１に移行する。
【０１２０】
Ｓ３１では、不図示の記憶領域Ｊの値４と、不図示の記憶領域Ｎの値５とが比較される。４＞５ではないので、Ｓ３１はＮＯと判断され、Ｓ３２に移行する。
【０１２１】
Ｓ３２では、先ず、装置媒体種別テーブル記憶領域１５２Ａを構成する記憶領域のうち、記憶領域Ｊの値である４番目の記憶領域の値が読み出される。その値は、表現を変えれば、装置媒体種別テーブルの４番目の媒体種別ということになり、「１８ｍｍテープ」となっている。不図示の記憶領域Ｋには、この「１８ｍｍテープ」が値として設定される。その後、Ｓ３３に移行する。
【０１２２】
Ｓ３３では、不図示の記憶領域Ｋ１に格納された媒体種別「１８ｍｍテープ」と、装置媒体種別テーブルの４番目の媒体種別「１８ｍｍテープ」とを比較する。それらは等しいので、Ｓ３３はＹＥＳと判断される。そして、不図示の記憶領域Ｊに格納されている４番目に対応するラベル作成装置１が、ＰＣ１００から印刷リクエストを送信するラベル作成装置１に設定される。そして、ラベル作成装置切り替え処理を終了する。
【０１２３】
ここで、再び図１５を参照してのラベル作成処理の説明に戻る。
【０１２４】
Ｓ９では、Ｓ３による入力がテンプレート選択の指示であるか否かが判断される。入力がテンプレート選択の指示であると判断された場合（Ｓ９：ＹＥＳ）は、Ｓ１０に移行し、テンプレート選択の指示でないと判断された場合（Ｓ９：ＮＯ）は、Ｓ１３に移行する。
【０１２５】
Ｓ１０では、モニタ１１３に表示制御部１６１を介して、図１４を参照して説明したようなテンプレート選択ダイアローグ３００が表示される。ユーザは、キーボード１１４やマウス１１５を操作してカテゴリー選択欄３１０から所望のカテゴリーを選択する。カテゴリーが選択されると、それに連動してスタイル選択欄３２０に表示されるテンプレートの一覧表示の内容が切り替わる。その中からユーザは再度キーボード１１４やマウス１１５を操作して所望のテンプレートを選択する。テンプレート選択ダイアローグ３００の下部のＯＫボタンを選択することにより、テンプレートの選択が確定される。その後、Ｓ１１に移行する。
【０１２６】
Ｓ１１では、選択されたレイアウトのテンプレートに従い、ラベルの元となるラベルデータを更新する。ラベルデータの更新に際しては、ラベルデータに含まれ印刷される内容に当たる各オブジェクトの内、既に入力済みであるオブジェクトは全て削除され、替わってＳ１０で選択されたテンプレートに含まれるオブジェクトがラベルデータには追加される。また、ラベルデータに含まれる印刷媒体の値も、既に印刷媒体の値が入力済みである場合は、そのデータは削除され、替わってＳ１０で選択されたテンプレートに含まれる印刷媒体の値がラベルデータには追加される。そのように更新されたラベルデータに従い、ラベル作成アプリケーション２００の編集画面２１０の作業領域２２０に表示されていたラベルイメージが更新して表示される。その後、Ｓ１２に移行する。
【０１２７】
Ｓ１２では、既に図１６を参照して詳細に説明をしたラベル作成装置切り替え処理が実行される。その後、Ｓ３に移行し、再びＳ３以降の処理を繰り返す。
【０１２８】
Ｓ１３では、入力が印刷の指示であるか否かが判断される。入力が印刷の指示であると判断された場合（Ｓ１３：ＹＥＳ）は、Ｓ１４に移行し、印刷の指示でないと判断された場合（Ｓ１３：ＮＯ）は、Ｓ１５に移行する。
【０１２９】
次に、Ｓ１４について説明する。前述のラベル作成装置切り替え処理（図１６参照）では、印刷リクエストを送信する対象となるラベル作成装置１が設定された。Ｓ１４では、そこで設定されたラベル作成装置１に対して、現在、ラベル作成アプリケーション２００の編集画面２１０の作業領域２２０上で作成・編集中のラベルデータを備えた印刷リクエストが送信される。尚、印刷リクエストを送信する対象となるラベル作成装置１が設定されていない場合は、不図示の印刷メニューがグレイアウトされており、ラベル作成アプリケーション２００からは印刷の指示が入力できないように構成されている。その後、Ｓ１５に移行する。
【０１３０】
Ｓ１５では、入力がキーボード１１４に備わる各種の文字キー等による文字入力の指示であるか否かが判断される。入力が文字入力の指示であると判断された場合（Ｓ１５：ＹＥＳ）は、Ｓ１６に移行し、印刷の指示でないと判断された場合（Ｓ１５：ＮＯ）は、Ｓ１７に移行する。
【０１３１】
Ｓ１６では、ＣＰＵ１１１は、文字入力の指示の応じて、ラベルデータを構成するテキストオブジェクトのデータに対し、文字の追加・挿入が行われることにより、ラベルデータの更新を行う。そのように更新されたラベルデータに従い、ラベル作成アプリケーション２００の編集画面２１０の作業領域２２０に表示されていたラベルイメージが更新して表示される。その後、Ｓ３に移行する。
【０１３２】
また、Ｓ１７では、その他の処理が行われる。その他の処理には、記号やイラストの入力、文字の削除、各種の文字修飾、前述した以外のメニューによる指示等が含まれる。その後、Ｓ３に移行する。
【０１３３】
次に、図１７を参照して媒体種別取得タイマ処理の説明を行う。尚、この処理は所謂、割り込み処理であり、ＣＰＵ１１１は、タイマ１６３がカウントして所定の時間が経過する度に、他の処理に優先して実行されるように構成されている。但し、媒体種別取得タイマ処理は、前述したラベル作成処理（図１５参照）におけるラベル作成装置１と送受信をする処理（例えば、Ｓ１４）の間、及び、ラベル作成装置切り替え処理（図１６参照）の間は、優先して実行されないように設定されている。
【０１３４】
図１７のＳ５０において、ＲＡＭ１５２のワーク領域１５２Ｂにある不図示の記憶領域Ｉに対し１が設定される。その後、Ｓ５１に移行する。
【０１３５】
Ｓ５１では、ＲＡＭ１５２のワーク領域１５２Ｂにある不図示の記憶領域Ｉに記憶されている値が、ＲＡＭ１５２のワーク領域１５２Ｂにある不図示の記憶領域Ｎに記憶されているラベル作成装置数より大きいか否かが判断される。記憶領域Ｉに記憶されている値が、記憶領域Ｎに記憶されているラベル作成装置数より大きいと判断された場合（Ｓ５１：ＹＥＳ）は、ラベル作成装置切り替え処理を終了し、それ以前に実行されていた処理に戻り、中断された続きから処理が継続される。
【０１３６】
Ｓ５２では、先ず、ＲＡＭ１５２のワーク領域１５２Ｂにある不図示の記憶領域Ｉに格納されている値を、ＰＣ１００で使用可能となったラベル作成の登録順として、それに対応するラベル作成装置１に対して、通信用Ｉ／Ｆ１６０を介して、シート種別リクエストが送信される。それに応じて対応するラベル作成装置１から送り返されてくるロールシートホルダ３に関する情報が、取捨選択等によりＰＣ１００で管理する形式に変換され、媒体種別として取得される。尚、シート種別リクエスト送信後、所定時間経過しても、ラベル作成装置１から反応が無い時は、ラベル作成装置１の電源はＯＦＦであると見なされる。その後、Ｓ５３に移行する。
【０１３７】
Ｓ５３では、ＲＡＭ１５２のワーク領域１５２Ｂにある不図示の記憶領域Ｉに格納されている値を指標として、ＲＡＭ１５２の装置媒体種別テーブル１５２Ａの記憶領域に、Ｓ５２において取得した媒体種別を格納する。尚、Ｓ５２において、ラベル作成装置１の電源がＯＦＦであると見なされた場合は、媒体種別に代わって「電源ＯＦＦ」が格納される。その後、Ｓ５４に移行する。
【０１３８】
Ｓ５４では、ＲＡＭ１５２のワーク領域１５２Ｂにある不図示の記憶領域Ｉに格納されている値に１が加算される。その後、Ｓ５１に移行し、Ｓ５１以降が繰り返される。
【０１３９】
ここで説明した、媒体種別取得タイマ処理を、図１２を例にして説明すると以下のようになる。
【０１４０】
Ｓ５０において、不図示の記憶領域Ｉに１が格納される。Ｓ５１に移行する。
【０１４１】
Ｓ５１では、図１５のＳ１において不図示の記憶領域Ｎにラベル作成装置数が格納されて以来、そのまま記憶領域Ｎにはラベル作成装置数が格納されている。仮に５台がネットワーク１０１に接続されており、全てＰＣ１００からはアクセスが可能とする。その時、不図示の記憶領域Ｎには５が格納されていることになる。その時に、Ｓ５１では、不図示の記憶領域Ｉの値１と、不図示の記憶領域Ｎの値５とが比較される。１＞５ではないので、Ｓ５１はＮＯと判断され、Ｓ５２に移行する。
【０１４２】
Ｓ５２では、不図示の記憶領域Ｉに格納されている値１を、ＰＣ１００で使用可能となったラベル作成の登録順として、それに対応する１台目のラベル作成装置１に対して、シート種別リクエストが送信される。今回１台目のラベル作成装置１からは、ロールシートホルダ３に関する情報として、種別：「無定長ロールシート３Ａ」、感熱シートの材質：「材質Ａ」、ロールシート幅：「６ｍｍ」が送り返されてきた。それらの情報は取捨選択等することによりＰＣ１００で管理する形式に変換され、媒体種別「６ｍｍテープ」として取得された。その後、Ｓ５３に移行する。
【０１４３】
Ｓ５３では、不図示の記憶領域Ｉに格納されている値１を指標として、装置媒体種別テーブル１５２Ａの１番目の記憶領域に、Ｓ５２において取得した媒体種別「６ｍｍテープ」を格納する。その後、Ｓ５４に移行する。
【０１４４】
Ｓ５４では、不図示の記憶領域Ｉに格納されている値１に１が加算され２になる。その後、Ｓ５１に移行する。
【０１４５】
Ｓ５１では、不図示の記憶領域Ｉの値２と、不図示の記憶領域Ｎの値５とが比較される。２＞５ではないので、Ｓ５１はＮＯと判断され、Ｓ５２に移行する。
【０１４６】
Ｓ５２では、不図示の記憶領域Ｉに格納されている値２を、ＰＣ１００で使用可能となったラベル作成の登録順として、それに対応する２台目のラベル作成装置１に対して、シート種別リクエストが送信される。今回２台目のラベル作成装置１からは、ロールシートホルダ３に関する情報として、種別：「無定長ロールシート３Ａ」、感熱シートの材質：「材質Ａ」、ロールシート幅：「９ｍｍ」が送り返されてきた。それらの情報は取捨選択等することによりＰＣ１００で管理する形式に変換され、媒体種別「９ｍｍテープ」として取得された。その後、Ｓ５３に移行する。
【０１４７】
Ｓ５３では、不図示の記憶領域Ｉに格納されている値２を指標として、装置媒体種別テーブル１５２Ａの２番目の記憶領域に、Ｓ５２において取得した媒体種別「９ｍｍテープ」を格納する。その後、Ｓ５４に移行する。
【０１４８】
Ｓ５４では、不図示の記憶領域Ｉに格納されている値２に１が加算され３になる。その後、Ｓ５１に移行する。
【０１４９】
Ｓ５１では、不図示の記憶領域Ｉの値３と、不図示の記憶領域Ｎの値５とが比較される。３＞５ではないので、Ｓ５１はＮＯと判断され、Ｓ５２に移行する。
【０１５０】
Ｓ５２では、不図示の記憶領域Ｉに格納されている値３を、ＰＣ１００で使用可能となったラベル作成の登録順として、それに対応する３台目のラベル作成装置１に対して、シート種別リクエストが送信される。今回３台目のラベル作成装置１からは、所定時間内に応答がなかった。そのため、３台目のラベル作成装置１は、電源ＯＦＦ状態と見なされた。その後、Ｓ５３に移行する。
【０１５１】
Ｓ５３では、不図示の記憶領域Ｉに格納されている値３を指標として、装置媒体種別テーブル１５２Ａの記憶領域に、「電源ＯＦＦ」を格納する。その後、Ｓ５４に移行する。
【０１５２】
Ｓ５４では、不図示の記憶領域Ｉに格納されている値３に１が加算され４になる。その後、Ｓ５１に移行する。
【０１５３】
Ｓ５１では、不図示の記憶領域Ｉの値４と、不図示の記憶領域Ｎの値５とが比較される。４＞５ではないので、Ｓ５１はＮＯと判断され、Ｓ５２に移行する。
【０１５４】
Ｓ５２では、不図示の記憶領域Ｉに格納されている値４を、ＰＣ１００で使用可能となったラベル作成の登録順として、それに対応する４台目のラベル作成装置１に対して、シート種別リクエストが送信される。今回４台目のラベル作成装置１からは、ロールシートホルダ３に関する情報として、種別：「無定長ロールシート３Ａ」、感熱シートの材質：「材質Ａ」、ロールシート幅：「１８ｍｍ」が送り返されてきた。それらの情報は取捨選択等することによりＰＣ１００で管理する形式に変換され、媒体種別「１８ｍｍテープ」として取得された。その後、Ｓ５３に移行する。
【０１５５】
Ｓ５３では、不図示の記憶領域Ｉに格納されている値４を指標として、装置媒体種別テーブル１５２Ａの４番目の記憶領域に、Ｓ５２において取得した媒体種別「１８ｍｍテープ」を格納する。その後、Ｓ５４に移行する。
【０１５６】
Ｓ５４では、不図示の記憶領域Ｉに格納されている値４に１が加算され５になる。その後、Ｓ５１に移行する。
【０１５７】
Ｓ５１では、不図示の記憶領域Ｉの値５と、不図示の記憶領域Ｎの値５とが比較される。５＞５ではないので、Ｓ５１はＮＯと判断され、Ｓ５２に移行する。
【０１５８】
Ｓ５２では、不図示の記憶領域Ｉに格納されている値５を、ＰＣ１００で使用可能となったラベル作成の登録順として、それに対応する５台目のラベル作成装置１に対して、シート種別リクエストが送信される。今回５台目のラベル作成装置１からは、ロールシートホルダ３に関する情報として、種別：「ダイカットラベルシート３Ｂ」、感熱シートの材質：「材質Ａ」、ロールシート幅：「３５ｍｍ」、ダイカット種類：「四角２９ｍｍｘ９０ｍｍ」が送り返されてきた。それらの情報は取捨選択等することによりＰＣ１００で管理する形式に変換され、媒体種別「２９ｍｍｘ９０ｍｍダイカットテープ」として取得された。その後、Ｓ５３に移行する。
【０１５９】
Ｓ５３では、不図示の記憶領域Ｉに格納されている値５を指標として、装置媒体種別テーブル１５２Ａの５番目の記憶領域に、Ｓ５２において取得した媒体種別「２９ｍｍｘ９０ｍｍダイカットテープ」を格納する。その後、Ｓ５４に移行する。
【０１６０】
Ｓ５４では、不図示の記憶領域Ｉに格納されている値５に１が加算され６になる。その後、Ｓ５１に移行する。
【０１６１】
Ｓ５１では、不図示の記憶領域Ｉの値６と、不図示の記憶領域Ｎの値５とが比較される。６＞５なので、Ｓ５１はＹＥＳと判断され、媒体種別取得タイマ処理を終了する。
【０１６２】
本実施形態のラベル作成システムでは、ラベル作成装置１はロールシートホルダ３に設けられロールシートの種類を表す媒体種別を保持するシート判別部６０から媒体種別を読み出すシート判別センサＳＳ１〜ＳＳ５を備え、ＰＣ１００はラベル作成装置１から送られ通信用Ｉ／Ｆ１６０により受信した媒体種別に基づいてラベルデータを送信するラベル作成装置１を決定するＣＰＵ１１１を備え、各ラベル作成装置１においてシート判別センサＳＳ１〜ＳＳ５は、ＰＣ１００におけるラベル作成プログラムの起動時に装着されているロールシートホルダ３のシート判別部６０から媒体種別を読み出すように構成されている。
【０１６３】
これにより、ＰＣ１００においてラベルデータの作成前にラベル作成装置１から取得した媒体種別に基づいてラベルデータに対応したラベル作成装置１を決定でき、そのラベル作成装置１にラベルを作成させることができる。そのため、ユーザはラベル印刷の度にラベル作成装置１を選択することが不要となり使い勝手が向上する。
【０１６４】
また、本実施形態のラベル作成システムでは、ＰＣ１００は所定の時間間隔毎に各ラベル作成装置１に対し通信用Ｉ／Ｆ６８によってシート種別リクエストを送信するように構成されている。
【０１６５】
これにより、所定時間を短めに設定した場合、ラベルデータを送信するラベル作成装置１を決定することは、ラベル作成装置１においてロールシートホルダ３の交換がされても可能となる。そのため、ユーザはさらに使い勝手が向上する。
【０１６６】
また、本実施形態のラベル作成システムでは、媒体種別はロールシートホルダ３に収納される無定長ロールシート３Ａの幅、及び、ダイカットラベルシート３Ｂの種類の何れかを有するように構成されている。
【０１６７】
これにより、ロールシートホルダ３に収納される無定長ロールシート３Ａの幅、及び、ダイカットラベルシート３Ｂの種類の違いによるラベル作成装置１の選択を可能とする。そのため、ユーザはさらに使い勝手が向上する。
【０１６８】
尚、本発明は本実施形態に限定されることはなく、本発明の要旨を逸脱しない範囲内で種々の改良、変形が可能であることは勿論である。
【０１６９】
印刷媒体としてのロールシートがロールシートホルダ３に収納されるのではなく、印刷媒体としてのフィルムテープがテープカセットに収納されていてもよい。
【０１７０】
複数のラベル作成装置１とＰＣ２とがネットワーク１０１を介して接続されているが、ネットワーク１０１を介さずに直接接続されていてもよい。
【図面の簡単な説明】
【０１７１】
【図１】本実施形態に係るラベル作成システムの概略を示す概略斜視図である。
【図２】本実施形態に係るラベル作成装置の概略斜視図である。
【図３】ラベル作成装置の最大ロールシート幅の無定長ロールシートが装着された状態を上カバーを取り外して示す概略斜視図である。
【図４】ラベル作成装置の最大ロールシート幅のダイカットラベルシートが装着された状態を上カバーを取り外して示す概略斜視図である。
【図５】ラベル作成装置の上カバーを取り外した状態を示す図で、（Ａ）は概略斜視図、（Ｂ）は（Ａ）の一点鎖線で囲まれたＷ部分の拡大斜視図である。
【図６】ラベル作成装置にロールシートホルダが装着された状態を上カバーを取り外して示す側断面図である。
【図７】図６のプラテンローラとその上流側に配置されるマーク検出センサの配置関係を示す部分拡大側断面図である。
【図８】ラベル作成装置の無定長ロールシートが装着されたロールシートホルダを示す図で、（Ａ）は前側上方からの斜視図、（Ｂ）は下側後方からの斜視図である。
【図９】ラベル作成装置の要部の回路構成を示す回路ブロック図である。
【図１０】本実施形態に係るＰＣの概略図である。
【図１１】ＰＣの電気的構成を示すブロック図である。
【図１２】装置媒体種別テーブル記憶領域の模式図である。
【図１３】ラベル作成アプリケーション２００の編集画面２１０のイメージ図である。
【図１４】テンプレート選択画面３００のイメージ図である。
【図１５】ラベル作成処理のフローチャートである。
【図１６】ラベル作成装置切り替え処理のフローチャートである。
【図１７】媒体種別取得タイマ処理のフローチャートである。
【符号の説明】
【０１７２】
１  ラベル作成装置
３  ロールシートホルダ
３Ａ  無定長ロールシート
３Ｂ  ダイカットラベルシート
３Ｃ  ダイカットラベル
１００  ＰＣ
１１１  ＣＰＵ
１５１  ＲＯＭ
１５２  ＲＡＭ
１５２Ａ  装置媒体種別テーブル記憶領域
１５２Ｂ  ワーク領域
ＳＳ１〜ＳＳ５  シート判別センサ
【図１】
2007317157.tif 000003
【図２】
2007317157.tif 000004
【図３】
2007317157.tif 000005
【図４】
2007317157.tif 000006
【図５】
2007317157.tif 000007
【図６】
2007317157.tif 000008
【図７】
2007317157.tif 000009
【図８】
2007317157.tif 000010
【図９】
2007317157.tif 000011
【図１０】
2007317157.tif 000012
【図１１】
2007317157.tif 000013
【図１２】
2007317157.tif 000014
【図１３】
2007317157.tif 000015
【図１４】
2007317157.tif 000016
【図１５】
2007317157.tif 000017
【図１６】
2007317157.tif 000018
【図１７】
2007317157.tif 000019